(57)【要約】【課題】流動路内に使用される弁体に関して、先端側から基端側に向かう第二の方向の流動に対し、確実にリップ部のスリットが閉じた状態を維持し、流動を確実に規制することができる弁体を提供する。【解決手段】流動路内に使用され、基端部と先端部を含み、前記基端側から前記先端側に向かう第一の方向の流動を許容し、前記先端側から前記基端側に向かう第二の方向の流動を規制する弁体であって、前記弁体は、前記基端部から先端部の方向に向かって収束するように延出した実質的に平坦な一対のリップと、前記先端部において前記両リップが合わさりスリットが形成され、かつ、前記リップの先端部に対向するように突出部が設けられている。【選択図】図１
2007239865.tif 000002
【特許請求の範囲】
【請求項１】
流動路内に使用され、基端部と先端部を含み、
前記基端側から前記先端側に向かう第一の方向の流動を許容し、
前記先端側から前記基端側に向かう第二の方向の流動を規制する弁体であって、
前記弁体は、前記基端部から先端部の方向に向かって収束するように延出した実質的に平坦な一対のリップと、前記先端部において前記両リップが合わさりスリットが形成され、かつ、前記リップの先端部に対向するように突出部が設けられていることを特徴とする弁体。
【発明の詳細な説明】
【技術分野】
【０００１】
本発明は、弁体に関するものである。
【背景技術】
【０００２】
弁体、例えばダックビル弁は医療機器を含め様々な用途に使用されている。ダックビル弁は、例えば特許文献１に開示されているように、弾性体から構成され、基端側と先端側を有し、環状部を有する基端側から先端側にかけて互いに収束する実質的に平坦な一対のアヒルの唇状のリップを有し、また、リップには通常状態で閉じているスリットが形成されている。通常、ダックビル弁は気密的にハウジング内に組み込まれた組立体として流動路内に設置され使用される。流動路内において、ダックビル弁の基端側から先端側に向かう第一の方向の流動に対しては、スリットが開いてその流動を許容する。一方、ダックビル弁の先端側から基端側に向かう第二の方向の流動に対しては、リップのスリットが閉じた状態を維持し、流動を規制する。
【０００３】
しかしながら、上記に示すような従来のダックビル弁では、先端側から基端側に向かう第二の方向の流動に対し、リップ部のスリットが開口し、閉じた状態が不十分な場合があり、流動を十分に規制できない問題がある。
【特許文献１】特開昭６１−２２８１７３
【発明の開示】
【発明が解決しようとする課題】
【０００４】
本発明の目的は、流動路内に使用される弁体に関して、先端側から基端側に向かう第二の方向の流動に対し、確実にリップ部のスリットが閉じた状態を維持し、流動を確実に規制することができる弁体を提供することにある。
【課題を解決するための手段】
【０００５】
本発明は、流動路内に使用され、基端部と先端部を含み、前記基端側から前記先端側に向かう第一の方向の流動を許容し、前記先端側から前記基端側に向かう第二の方向の流動を規制する弁体であって、前記弁体は、前記基端部から先端部の方向に向かって収束するように延出した実質的に平坦な一対のリップと、前記先端部において前記両リップが合わさりスリットが形成され、かつ、前記リップの先端部に対向するように突出部が設けられていることを特徴とする弁体である。
【発明の効果】
【０００６】
本発明によれば、流動路内に使用される弁体に関して、先端側から基端側に向かう第二の方向の流動に対し、確実にリップ部のスリットが閉じた状態を維持し、流動を確実に規制することができる。
【発明を実施するための最良の形態】
【０００７】
以下、本発明の実施の形態について、図面を用いて説明する。なお、すべての図面において、共通する構成要素には同一符号を付し、以下の説明において詳細な説明を適宜省略する。
【０００８】
図１（ａ）〜図１（ｆ）は、本発明の弁体の一例を示す図である。図１（ａ）は、弁体の正面図である。図１（ｂ）は、弁体の上面図である。図１（ｃ）は、弁体の下面図である。図１（ｄ）は、弁体の側面図である。図１（ｅ）は、図１（ｂ）のＡ−Ａ’断面図である。図１（ｆ）は、図１（ｂ）のＢ−Ｂ’断面図である。また、図２（ａ）〜図２（ｆ）は、本発明の弁体の別の一例を示す図である。図２（ａ）は、弁体の正面図である。図２（ｂ）は、弁体の上面図である。図２（ｃ）は、弁体の下面図である。図２（ｄ）は、弁体の側面図である。図２（ｅ）は、図２（ｂ）のＡ−Ａ’断面図である。図２（ｆ）は、図１（ｂ）のＢ−Ｂ’断面図である。
【０００９】
図１（ａ）〜図１（ｆ）、および図２（ａ）〜図２（ｆ）に示した弁体は、弾性体から構成され、少なくとも、基端側の環状部１と、基端側から先端側にかけて互いに収束するように延出した実質的に平坦な一対のリップ２と、リップ２に形成されたスリット３を有する。
【００１０】
さらに、弁体のリップ２の先端部に対向するように、リップ２の先端部の外側または内側に、突出部４が設けられている。すなわち、弁体のリップ２の先端部の肉厚が、リップ２の肉厚より実質的に大きくなっている。このため、弁体の先端側から基端側に向かう第二の方向の流動に対し、変形しにくく、スリット３が開口しにくいため、流動を確実に規制することができる。また、閉鎖系の流路で流体として気体を使用し、流路の基端側が大気開放状態となったとき、弁体の基端側から先端側に向かう第一の方向の流動に対し、スリット３が開きっぱなしにならず、スリット３が開閉状態の繰り返しの振幅を起こすため、確実に１００Ｈｚから１０ｋＨｚの周波数の通気音を鳴らせることができる。
【００１１】
弁体の突出部４の肉厚はリップ２の肉厚に比べて、例えば、１．５〜３．０倍の大きさとすることができる。こうすることで、確実な逆流の防止、または確実な通気音の発生を得ることができる。弁体の大きさは、必要とする流動路の大きさにより、一該には言えないが、例えば、弁体の環状部１の外径部を５〜１５ｍｍ、環状部の長さを１〜５ｍｍ、リップの長さを２〜１５ｍｍとすることができる。
【００１２】
弁体のスリット３には、例えば、シリコーンオイルやシリコーングリースを塗布してもよい。こうすることで、弁体の先端側から基端側に向かう第二の方向の流動をさらに確実に規制することができる。
【００１３】
弁体は、例えば、シリコーンゴム、アクリロニトリルゴム、イソプレンゴム、ウレタンエラストマー等の弾性体を材質とし、圧縮成形等により成形することができる。また、弁体のリップ２のスリット３は成形後に刃物等により形成することができる。
【００１４】
以上、本発明を実施形態に基づいて説明した。これらの実施形態はあくまで例示であり、種々の変形例が可能なこと、また、そうした変形例も本発明の範囲にあることは当業者に理解されるところである。
【産業上の利用可能性】
【００１５】
流動路内に使用される弁体に関して、先端側から基端側に向かう第二の方向の流動に対し、確実にリップのスリットが閉じた状態を維持し、流動を確実に規制できる。また、流動体として気体を使用し、閉鎖系にて基端側から先端側に向かう第一の方向に流動体を流して使用される場合に、流動路内の基端側が異常な大気開放状態となったときに、確実に通気音を鳴らすことができる。
【図面の簡単な説明】
【００１６】
【図１】実施形態に係る弁体の構成を模式的に示す図である。
【図２】実施形態に係る別の弁体の構成を模式的に示す図である。
【符号の説明】
【００１７】
１    環状部
２    リップ
３    スリット
４    突出部
【図１】
2007239865.tif 000003
【図２】
2007239865.tif 000004